(57)【要約】【課題】本発明は複数のダム及び発電所の適切な運用計画を手動計算で容易に作成し得る連接水系の運用計画作成支援システムを提供する。【解決手段】本発明の連接水系の運用計画作成支援システムは、複数の発電所の発電運用計画或いはダムの放流計画を表示する第１表示装置と、複数のダムの計画水位を表示する第２表示装置と、入力手段から入力されたデータ及び格納されたデータベースを基に演算する計算機を備え、発電所及びダムの当日計画は入力手段から当日仮計画の現在時刻以降の発電出力と放流量を入力して現在時刻までの発電出力、放流量、水位と当日の仮計画水位の計算を実行して複数のダムの水位を実績水位、計画水位及び仮計画水位に分類表示し、発電所及びダムの翌日計画は入力手段から翌日仮計画の発電出力、放流量、初期水位を入力して翌日の仮計画水位の計算を実行して複数のダムの水位を計画水位ブ及び仮計画水位に分類表示するように構成した。【選択図】図４
2008118810.tif 000002
【特許請求の範囲】
【請求項１】
複数のダムおよび発電所を有する連接水系の運用計画作成支援システムにおいて、複数の発電所の発電運用計画或いはダムの放流計画を表示する第１表示装置と、複数のダムの計画水位カーブを表示する第２表示装置とを備え、複数のダム及び発電所の運用計画の手動計算に必要なデータを入力する入力手段を備え、発電所及びダムの実績データである発電出力、放流量、及び水位を保持する実績データベース、発電所及びダムの当日計画と翌日計画を保持する計画データベース、発電所及びダムの当日仮計画と翌日仮計画を保持する仮計画データベース、及び発電所及びダムの設備データを保持する設備データベースを夫々格納し、入力手段から入力されたデータ及び前記データベースを基に演算を実行する計算機を備え、前記計算機の演算によって第２表示装置に表示される相互に関連の深い複数のダムの計画水位カーブと、前記複数のダムに設置されて発電する複数の発電所の発電運用計画或いはダムの放流計画とを前記第１表示装置に夫々表示させるように構成し、発電所及びダムの当日計画では前記入力手段から当日仮計画の現在時刻以降の発電出力と放流量を入力して現在時刻までの発電出力、放流量、水位とこれらの入力値を基に計算機によって当日の仮計画水位の計算を実行して複数のダムについて水位を実績水位カーブ、計画水位カーブ及び仮計画水位カーブに分類して第２表示装置に表示し、発電所及びダムの翌日計画では前記入力手段から翌日仮計画の発電出力、放流量、初期水位を入力してこれらの入力値を基に計算機によって翌日の仮計画水位の計算を実行し、複数のダムについて水位を計画水位カーブ及び仮計画水位カーブに分類して第２表示装置に表示するように構成したことを特徴とする連接水系の運用計画作成支援システム。
【請求項２】
請求項１に記載の連接水系の運用計画作成支援システムにおいて、前記計算機によって演算して第２表示装置に表示された複数のダムの水位カーブを確認する手段を備え、前記入力手段から所望のダム及び発電所の発電出力と放流量を入力してリターンの押下操作を行うことによってこの所望のダムとは影響する関係にある他のダムの水位の再計算をこの前記計算機によって実行して前記他のダムの水位の再計算結果を第１表示装置に表示するように構成したことを特徴とする連接水系の運用計画作成支援システム。
【請求項３】
請求項１に記載の連接水系の運用計画作成支援システムにおいて、発電所及びダムの当日計画では第１表示装置に備えた入力手段から当日仮計画の現在時刻以降の発電出力と放流量を入力して、現在時刻までの発電出力、放流量及び水位と入力されたデータを基に計算機によって当日の仮計画水位の計算を実行してその計算結果を第２表示装置に水位を実績水位カーブ、計画水位カーブ及び仮計画水位カーブに分類し色替えして表示し、発電所及びダムの翌日計画では、前記入力手段から翌日仮計画の発電出力及び放流量を入力して、この入力されたデータを基に計算機によって翌日の仮計画水位の計算を実行してその計算結果を第２表示装置に水位を計画水位カーブ及び仮計画水位カーブに分類し色替えして表示するように構成したことを特徴とする連接水系の運用計画作成支援システム。
【請求項４】
請求項１に記載の連接水系の運用計画作成支援システムにおいて、仮計画の取消操作を行うと計算機によって前回登録した計画のデータを計画データベースから呼び出して第１表示装置と第２表示装置に表示し、作成した仮計画の登録操作を行うと計算機によって計画のデータとして計画データベースに保存されるように構成したことを特徴とする連接水系の運用計画作成支援システム。
【発明の詳細な説明】
【技術分野】
【０００１】
本発明は複数のダムおよび発電所を有する連接水系の運用計画作成支援システムに関し、特に複数のダムおよび発電所を有する連接水系における当日計画、翌日計画の作成を支援する運用計画作成支援システムに関するものである。
【背景技術】
【０００２】
複数のダムおよび発電所を有する連接水系の各ダムの計画水位カーブ、発電運用計画、放流計画などの運用計画の作成方法として、自動計算と手動計算がある。
【０００３】
特開２００６−３９８３８号公報には、複数のダムおよび発電所を有する連接水系における各発電所の発電機運転計画及び各ダムの水位計画を自動計算して画面上に表示する技術が開示されている。
【０００４】
【特許文献１】特開２００６−３９８３８号公報
【発明の開示】
【発明が解決しようとする課題】
【０００５】
特開２００６−３９８３８号公報に記載された縮約勾配法や水力発電所群日間発電計画立案方式の自動計算では運用計画作成者が望む最適解が得られるとは限らない。このため、連接水系の運用計画の作成ではマニュアルで計算機を操作して計画を作成する手動計算が必要である。
【０００６】
ところで、複数のダムおよび発電所を有する連接水系では上流のダムの放流が流下遅れをもって、下流のダムへ影響を及ぼす。このため、手動計算では上流のダムの運用計画を作成する際に下流のダムの運用計画を修正・勘案する必要がある。
【０００７】
下流のダムの運用計画は、下流のダムの更に下流のダムの運用計画に影響を及ぼす。このため、上流のダムの運用計画を作成する際には、下流のダム、および下流のダムの更に下流のダムの運用計画を修正・勘案する必要がある。
【０００８】
また、計画作成対象ダムの下流のダムにむけ放流するダムが複数ある際には、計画作成対象ダムと、下流のダム、および下流のダムの更に下流のダムの運用計画の他に、下流のダムにむけ放流するダムの運用計画を修正・勘案する必要が生じる。
【０００９】
このように、連接水系における手動計算では、対象ダムの運用計画の修正を実施するために、連接水系の全てのダムを修正・勘案しながら計画を修正していく必要があるので、連接水系における手動計算では関連する複数のダムおよび発電所の運用計画を作成するには多くの労力が必要となるので困難が伴う。
【００１０】
連接水系における手動計算では関連する複数のダムおよび発電所の運用計画を確認しながら計算を行う必要があるため、連接水系で手動計算を実施する際に計算対象ダム以外のダムを繰り返し確認した上で計算せざるを得ず、よって連接水系の関連する複数のダムおよび発電所の運用計画を作成するのに非常に多くの労力が必要で運用者に大きな負担が掛かかり、連接水系の適切な運用計画を容易に作成することは非常に困難であった。
【００１１】
本発明の目的は、連接水系の関連する複数のダムおよび発電所の運用計画を同時に確認しながら夫々のダムおよび発電所の適切な運用計画を手動計算にて容易に作成することを可能にして運用者の負担を低減し得る連接水系の運用計画作成支援システムを提供することにある。
【課題を解決するための手段】
【００１２】
本発明の連接水系の運用計画作成支援システムは、複数の発電所の発電運用計画或いはダムの放流計画を表示する第１表示装置と、複数のダムの計画水位カーブを表示する第２表示装置とを備え、複数のダム及び発電所の運用計画の手動計算に必要なデータを入力する入力手段を備え、発電所及びダムの実績データである発電出力、放流量、及び水位を保持する実績データベース、発電所及びダムの当日計画と翌日計画を保持する計画データベース、発電所及びダムの当日仮計画と翌日仮計画を保持する仮計画データベース、及び発電所及びダムの設備データを保持する設備データベースを夫々格納し、入力手段から入力されたデータ及び前記データベースを基に演算を実行する計算機を備え、前記計算機の演算によって第２表示装置に表示される相互に関連の深い複数のダムの計画水位カーブと、前記複数のダムに設置されて発電する複数の発電所の発電運用計画或いはダムの放流計画とを前記第１表示装置に夫々表示させるように構成し、発電所及びダムの当日計画では前記入力手段から当日仮計画の現在時刻以降の発電出力と放流量を入力して現在時刻までの発電出力、放流量、水位とこれらの入力値を基に計算機によって当日の仮計画水位の計算を実行して複数のダムについて水位を実績水位カーブ、計画水位カーブ及び仮計画水位カーブに分類して第２表示装置に表示し、発電所及びダムの翌日計画では前記入力手段から翌日仮計画の発電出力、放流量、初期水位を入力してこれらの入力値を基に計算機によって翌日の仮計画水位の計算を実行し、複数のダムについて水位を計画水位カーブ及び仮計画水位カーブに分類して第２表示装置に表示するように構成したことを特徴とする。
【発明の効果】
【００１３】
本発明によれば、連接水系の関連する複数のダムおよび発電所の運用計画を同時に確認しながら夫々のダムおよび発電所の適切な運用計画を手動計算にて容易に作成することを可能にして運用者の負荷を低減し得る連接水系の運用計画作成支援システムを実現することができる。
【発明を実施するための最良の形態】
【００１４】
次に本発明の実施例である連接水系の運用計画作成支援システムについて図面を参照して説明する。
【実施例１】
【００１５】
図１〜図７は本発明の一実施例である連接水系の運用計画作成支援システムを示すものである。図１は本実施例である連接水系の運用計画作成支援システムの概略構成図であり、第１表示装置１０と第２表示装置２０の２つの表示装置と、仮計画データベース３１、計画データベース３２、実績データベース３３及び設備データベース３４などのデータベースを有する計算機３０を備えた連接水系の運用計画作成支援システムを示している。
【００１６】
図２及び図３は図１に示した連接水系の運用計画作成支援システムにおける第１表示装置１０と、第２表示装置２０において表示する表示画面の一例を夫々表したものである。
【００１７】
図２の第１表示装置１０には複数の水力発電所である発電所Ａ、発電所Ｂ、発電所Ｃ、発電所Ｆの夫々の発電運用計画や、ダムであるダムＤ、ダムＥや調整池の夫々の放流計画を１時間単位で表示した画面を表示している。
【００１８】
図３の第２表示装置２０には複数のダムであるダムＡ、ダムＢ、ダムＣ、ダムＤ、ダムＥ、ダムＦ、あるいは調整池に貯蔵する計画水位の変化の状況を１０分単位で所望の時間に亘って表示した計画水位カーブ画面を表示している。
【００１９】
そして図２の第１表示装置１０では計算機３０に直結した画面入力手段が備えられており、符号４で示した発電出力ＯＲ放流量入力欄となるデータ入力欄に各発電所における発電計画の発電出力（ＭＷ）や、各ダムにおける放流計画の放流量（ｍ3/s）などを入力すると、第１表示装置１０に直結した図１の計算機３にて水位計算を実行し、計算機３による水位計算の結果を同じく計算機３に直結した図３の第２表示装置２０に符号５で示した複数のダムＡ、ダムＢ、ダムＣ、ダムＤ、ダムＥ、ダムＦにおける計画水位の変化の状況を示す各水位カーブを表示するようになっている。
【００２０】
尚、第１表示装置１０の画面入力手段としては、符号１で示した計画・仮計画選択コンボボックス、符号２で示した仮計画取消ボタン、符号３で示した仮計画登録ボタンが、符号４の発電出力ＯＲ放流量入力欄以外にも夫々備えられていて計算機３０と直結している。
【００２１】
同様に、第２表示装置２０の画面入力手段としては、符号６で示した水位グラフ拡大ボタンがあり、この水位グラフ拡大ボタン６によって選択されたダムについて、符号５で示す計画水位カーブが拡大されて表示されるようになっている。
【００２２】
また、第２表示装置２０の画面入力手段には符号７で示す水位表示・非表示チェックボックスも備えられており、対象となるダムの水位の表示・非表示を色分け表示も含めて選択して表示できるようになっている。
【００２３】
次に図１〜図３及び図７を用いて本実施例である複数のダムおよび発電所を有する連接水系の運用計画作成支援システムを説明すると、この連接水系の運用計画作成支援システムは計算機３０によって演算された連接水系の複数のダム、あるいは調整池の計画水位カーブを表示するディスプレイである第２表示装置２０と、同じく計算機３０によって演算された複数の発電所の発電運用計画、あるいはダムや調整池の放流計画を表示および入力するディスプレイである第１表示装置１０とを有している。
【００２４】
この運用計画作成支援システムに備えられた計算機３０では、発電所及びダムの実績データである発電出力、放流量、水位を保持する実績データベース３３と、発電所及びダムの当日計画、翌日計画を保持する計画データベース３２と、発電所及びダムの当日仮計画と翌日仮計画を保持する仮計画データベース３１と、発電所及びダムの設備データなどを保持する設備データベース３４とを格納しており、この計算機３０によって入力データおよび上記データベース３１〜３４に格納された発電所及びダムの各種データを基に連接水系の運用計画作成支援に必要な計算を実行している。
【００２５】
前記した連接水系の運用計画作成支援システムでは、計算機３０によって演算して第２表示装置２０に表示される相互に関連の深い複数のダム、あるいは調整池の計画水位カーブと、同様に計算機３０によって演算して第１表示装置１０に表示される前記ダムに設置されて発電する複数の発電所の発電運用計画、あるいはダムや調整池の放流計画とを、第１表示装置１０と第２表示装置２０に同時に表示する。
【００２６】
そして、この運用計画作成支援システムには前記した各ダムの詳細な水位カーブを確認する手段と画面入力手段を備えており、第１表示装置１０の画面ディスプレイの入力手段から各ダム及び発電所の発電出力、放流量を入力してリターンの押下操作することによって直結された計算機３０によって影響のあるダムの水位の再計算を実行し、この計算結果を第１表示装置１０に表示するものである。
【００２７】
また、この運用計画作成支援システムにおいて、当日計画では、第１表示装置１０の画面ディスプレイから当日仮計画の現在時刻以降の発電出力、放流量を入力すると、現在時刻までの発電出力、放流量、水位と入力値などを基に、計算機３０によって当日の仮計画水位の計算を実行し、この計算結果を第２表示装置２０の画面ディスプレイに、水位を実績水位カーブ、計画水位カーブ、仮計画水位カーブに分類し色替えして表示する。
【００２８】
ここで、この当日の仮計画に係わる仮計画水位の計算結果に修正がなければ、この仮計画水位の値を登録操作すれば当日の仮計画が当日計画の計画水位として登録される。
【００２９】
同様に、翌日計画では、第１表示装置１０の画面ディスプレイから翌日仮計画の発電出力、放流量を入力すると、これらの入力値などを基に、計算機３０によって翌日の仮計画水位の計算を実行し、この計算結果を第２表示装置２０の画面ディスプレイに、水位を計画水位カーブ、仮計画水位カーブに分類し色替えして表示する。
【００３０】
ここで、この翌日の仮計画に係わる仮計画水位の計算結果に修正がなければ、この仮計画水位の値を登録操作すれば翌日の仮計画が翌日計画の計画水位として登録される。
【００３１】
また、運用計画作成支援システムでは作成した仮計画を取消することも可能であり、仮計画の取消操作を行うと計算機３０によって前回登録した計画を呼び出して第１表示装置１０と第２表示装置２０に表示するようにしたものであり、作成した仮計画の登録操作を行うとすると計算機３０によって計画のデータとして保存されるものである。
【００３２】
図７は本実施例である連接水系の運用計画作成支援システムの詳細構成を制御ブロック図として示したものである。図７において、連接水系の運用計画作成支援システムの計算機３０には入力手段から入力される各種入力値及び各種データベースに保管されているデータ値に基づいて計画水位を演算する計画演算手段３０ａと、入力手段から入力される各種入力値及び各種データベースに保管されているデータ値に基づいて仮計画水位を演算する仮計画演算手段３０ｂとが備えられている。
【００３３】
即ち、第１表示装置１０に設けた入力手段から、当日の計画に係わる当日の発電出力、放流量、水位をインプットしてリターンの押下操作することによって直結された計算機３０に備えられた計画演算手段３０ａに入力する。計画演算手段３０ａには計算機３０に備えられたデータベースである仮計画データベース３１、計画データベース３２、実績データベース３３、及び設備データベース３４に夫々保存された各種データ値も入力しており、この計画演算手段３０ａでは入力手段から入力した当日の発電出力、放流量、水位の入力値とデータベースから入力する各種データ値に基づいて当日計画の計画水位を演算する。
【００３４】
そして計画演算手段３０ａで演算した当日計画の計画水位演算値を第２表示装置に入力して相互に関連の深い複数のダム、あるいは調整池の計画水位カーブを表示するように構成されている。
【００３５】
同様に、第１表示装置１０に設けた入力手段から、翌日の仮計画に係わる翌日の発電出力、放流量、水位をインプットしてリターンの押下操作することによって直結された計算機３０に備えられた仮計画演算手段３０ｂに入力する。仮計画演算手段３０ｂにも計算機３０に備えられたデータベースである仮計画データベース３１、計画データベース３２、実績データベース３３、及び設備データベース３４に夫々保存された各種データ値が入力しており、この仮計画演算手段３０ｂでは入力手段から入力した翌日の発電出力、放流量、水位の入力値とデータベースから入力する各種データ値に基づいて翌日仮計画の仮計画水位を演算する。
【００３６】
そして仮計画演算手段３０ｂで演算した翌日仮計画の仮計画水位演算値を第２表示装置に入力して相互に関連の深い複数のダム、あるいは調整池の仮計画水位カーブを表示するように構成されている。
【００３７】
次に本実施例の運用計画作成支援システムの運用計画作成の手順について説明する。
【００３８】
図４は図１の連接水系の運用計画作成支援システムにおける運用計画作成の詳細を示すフローチャートであり、この運用計画作成のフローチャートは図１及び図７の計算機３０、第１表示装置１０及び第２表示装置２０と夫々関連付けされている。
【００３９】
まず、運用計画作成のフローチャートにおける計画対象日画面選択のステップ１１０では当日計画画面ＯＲ翌日計画画面のステップ１１１によって計画対象日画面を選択する。
【００４０】
当日計画画面ＯＲ翌日計画画面のステップ１１１で当日計画画面を選択した場合は実績データの取得のステップ１１５に進んで計算機３０に格納されている実績データベース３３のデータを取得する。
【００４１】
また、当日計画画面ＯＲ翌日計画画面のステップ１１１で翌日計画画面を選択した場合、又は実績データの取得のステップ１１５を経た次には、計画、仮計画データの取得のステップ１１２に進んで計算機３０に格納されている計画データベース３２及び仮計画データベース３１の計画データ及び仮計画データを取得する。
【００４２】
次に当日計画画面ＯＲ翌日計画画面のステップ１１１で当日計画画面を選択、又は翌日計画画面を選択するが、何れを選択した場合でも設備データなどの取得のステップ１１４に進んで計算機３０に格納されている設備データ３４からデータを取得する。
【００４３】
当日計画画面を選択、又は翌日計画画面を選択したいずれも場合でも、計画と仮計画とを計算機３０にて演算することになる。詳細は後述するが、計画の演算では計算機３０の計画演算手段３０ａによって計画水位値を演算し、仮計画の演算では計算機３０の仮計画演算手段３０ｂによって仮計画水位値を演算して第２表示装置２０に表示することになる。
【００４４】
データベース３１〜３４から取得した各種データを基にデフォルト画面（計画画面）表示のステップ１２０に進んでデフォルトし、その後の計画選択のステップ１２０に進む。
【００４５】
計画選択のステップ１２０では、第１表示装置１０に計画と仮計画の画面を表示して次の仮計画ＯＲ計画のステップ１２１によって計画と仮計画の何れかを選択する。
【００４６】
計画選択のステップ１２０によって第１表示装置１０に表示する計画画面と仮計画画面との違いは、第１表示装置１０に示した画面には、符号１を操作して計画と仮計画とを選択することによって計画を選択した場合は計画データが表示され、仮計画を選択した場合には仮計画データが表示される。ただし、計画画面では発電出力等のデータの入力はできない。
【００４７】
一方、第２表示装置２０には、計画画面又は仮計画画面の何れであっても、複数のダムＡ〜ダムＦに関して計画水位、仮計画水位、水位上限、水位下限、実績水位（翌日計画の場合は表示なし）が表示されるようになっている。
【００４８】
仮計画と計画の選択は図２に示した第１表示装置１０の符号１を操作して何れか一方を選択する。ここで、計画を選択したときは、発電出力などの入力禁止のステップ１２３に進み、図２に示した第１表示装置１０の符号４で示した縦軸欄に各発電所における発電計画の発電出力（ＭＷ）や、各ダムにおける放流計画の放流量（ｍ3/s）などの入力は禁止される。
【００４９】
また、仮計画を選択したときは、発電出力などの入力許可のステップ１２２に進み、次の発電出力などの入力のステップ１３０にて図２に示した第１表示装置１０の符号４で示した縦軸欄に運用者が各発電所における発電計画の発電出力（ＭＷ）や、各ダムにおける放流計画の放流量（ｍ3/s）などのデータの入力を行う。
【００５０】
次に仮計画の水位再計算のステップ１３１に進んで発電出力などの入力のステップ１３０における第１表示装置１０に設けた入力手段である画面上から運用者による発電出力、放流量、水位のデータの入力に基づいて計算機３０の仮計画演算手段３０ｂによって仮計画水位の再計算を行う。
【００５１】
第１表示装置１０の画面で前記データを入力後の運用者によるリターン押下操作（改行操作）により、例えば運用者が入力したデータである発電所の発電出力に対して計算機３０によって関連するダムの水位を再計算し、この後に仮計画の保存のステップ１３２に進んでこの仮計画を仮計画データーベース３１に保存する。
【００５２】
また、計算機３０による再計算結果は画面表示のステップ１３３によって保存した仮計画を第１表示装置１０及び第２表示装置２０の画面に表示する。
【００５３】
その後、運用者の確認のステップ１４０に進んで、計算機３０の仮計画演算手段３０ｂで再計算して第１表示装置１０及び第２表示装置２０の画面に表示された仮計画データに対して運用者が満足のいく計画であると判断した場合には、登録ボタン押下のステップ１５０に進んで運用者が登録ボタンを操作し、仮計画データを計画データにコピーのステップ１５１に進行してこの仮計画データを計算機３０の計画データベース３２に格納する計画データとして保存することになる。
【００５４】
一方、運用者の確認のステップ１４０にて計算機３０の仮計画演算手段３０ｂで再計算して第１表示装置１０或いは第２表示装置２０の画面に表示された仮計画データに対して運用者が満足しない計画であり修正要と判断した場合には、元に戻すステップ１６０を経て、再度、発電出力などの入力のステップ１３０に進んで前述した各ステップをやり直すことになる。
【００５５】
即ち、運用者の確認のステップ１４０にて、入力手段である図２に示した第１表示装置１０の符号４で示した縦軸欄に運用者によって再度発電出力等のデータを入力して計算機３０の仮計画演算手段３０ｂで再々度計算させて新たな仮計画の作成を行う。
【００５６】
ただし、運用者が第１表示装置１０の画面に表示された仮計画データを見て元の計画に戻したいと思った場合は、元に戻すステップ１６０を経て取消ボタン押下のステップ１７０に進み、運用者による取消ボタンの押下操作することにより計算機３０によって前回登録した計画を表示することができる。
【００５７】
即ち、計画データを仮計画データにコピーのステップ１７１に進行してこのコピーした計画データに基づいて、再度、発電出力などの入力のステップ１３０に進んで前述した各ステップをやり直すことになる。
【００５８】
図５は本発明の対象となる連接水系Ｚの水系図を模式的に示したものであり、ダムＡの下流にダムＣが連接され、ダムＣの下流にダムＤが連接されている。また、ダムＣにはダムＢからも水が流下して連接されている。尚、図中、各ダムに流入する破線の矢印は自然の流量を表している。
【００５９】
ダム間の流下遅れについては、ダムＡからダムＣ、ダムＢからダムＣ、ダムＣからダムＤの間が夫々１時間の流下遅れとなっている。
【００６０】
そして、これらのダムＡ、ダムＢ、ダムＣ、ダムＤには発電所Ａ、発電所Ｂ、発電所Ｃ、発電所Ｄが夫々設置されており、これらの発電所で発電出力を夫々発生するようになっている。
【００６１】
図６は図５に示した連接水系Ｚの発電計画及び連接水系に属するダムＡ、ダムＢ、ダムＣ、ダムＤに関する仮計画における水位カーブと水位上限、水位下限を夫々示したものである。
【００６２】
図５及び図６を用いて運用者が実施する運用計画の仮計画の修正・勘案方法の一例を示す。ここでは運用計画の最終水位は固定として運用計画の仮計画を修正していくこととする。すなわち、一日のダムからの放流量は変更せずに、放流する時間帯を変更することでダムの水位逸脱を解消していく。
【００６３】
図６に示した水位グラフではダムＣの水位が水位下限を逸脱して低くなった状況を示している。この場合、ダムＣの水位下限逸脱を解消する方法として次の３つの方法の何れかを採用すれば良い。
【００６４】
１つ目の方法は図５に示したダム間の流下遅れを勘案してダムＣの水位逸脱時刻以降の時間帯におけるダムＣの上流側となるダムＡに設置された発電所Ａからの放流量を、ダムＣの水位逸脱時刻以前の時間帯に移動する方法であり、例えば発電所Ａが２２〜２４時に計画している各５．０ＭＷの発電出力を１３〜１５時に移動させ、１３時を５．０ＭＷ、１４〜１５時を１３．０ＭＷ程度にすることによりダムＣの水位下限逸脱を解消するものである。
【００６５】
２つ目の方法は流下遅れを勘案してダムＣの水位逸脱時刻以降の時間帯におけるダムＣの上流側となるダムＢに設置された発電所Ｂからの放流量を、ダムＣの水位逸脱時刻以前の時間帯に移動する方法であり、例えば発電所Ｂの２２〜２４時に計画している各３．０ＭＷの発電出力を１３〜１５時に移動させ、１３〜１５時を各６．０ＭＷ程度にすることによりダムＣの水位下限逸脱を解消するものである。
【００６６】
３つ目の方法はダムＣの水位逸脱時刻以前の時間帯における放流量を水位逸脱時刻以降の時間帯に移動する方法であり、ダムＣに設置された発電所Ｃの１３〜１６時に計画している発電出力を減らして１７〜２４時の時間帯に移動する。例えば、１３〜１６時の発電出力を各７．０ＭＷ程度にし、１７時〜２１時の発電出力を各６．５ＭＷ程度にすることによりダムＣの水位下限逸脱を解消するものである。
【００６７】
ところで、仮にダムの水位グラフとして１つのダムの水位グラフしか表示されない場合は、運用者は各ダムの運用計画を確認して上記３つの方法のうちのどれが適切かを考えていずれかの方法を実施し、更に各ダムの運用計画を確認する必要がある。
【００６８】
これに対して上述した本実施例の連接水系の運用計画作成支援システムにおける運用計画作成方法では、運用者はダムＡ〜ダムＤの水位を同時に確認できることにより、例えば２つ目の方法と３つ目の方法ではダムＣの水位逸脱は解消できても、ダムＢ、ダムＤに逸脱が起こることを簡単に予想および検証できる。
【００６９】
また、上述した本実施例では、運用者は例えば１つ目の方法によってダムＡの水位が逸脱しないことを予想および検証できる。
【００７０】
また、上記３つの方法以外にも、ダムＤの午前中の放流量を午後に移動することにより、ダムＤの水位下限に対する余裕を作り、ダムＣの水位下限逸脱時間帯の放流量を後ろの時間帯に移動するという方法も容易に検討することができる。
【００７１】
このように連接水系において関連する複数のダムおよび発電所の運用計画を同時に確認しながら、計画を作成する手段を提供することで、より簡単に適切な発電運用計画を作成できる。
【００７２】
上述した本実施例の連接水系の運用計画作成支援システムでは、所望のダムに関するデータ入力後のリターンの押下により、この所望のダムと影響のある他のダムの水位の再計算を手動計算で実行することができる。すなわち、計画作成を計算機に直結したキーボードの操作だけで再計算することが可能となる。これにより、発電出力、あるいは放流量の入力から水位までの再計算を例えばマウス移動の操作によって中断されることなく実施することが可能となる。
【００７３】
また、本実施例の連接水系の運用計画作成支援システムでは、修正した計画（仮計画）を計算機に登録することで計画として保存する機能と、修正した計画を取消することで前回登録した計画を表示する機能を有しており、運用者が修正に失敗したときにも、最適な計画（仮計画）が得られるまで前回の計画をベースに何度でも修正することが可能となる。
【００７４】
よって本実施例によれば、運用者の日々の業務である連接水系の運用計画の作成が容易となり、運用者の負荷を低減することが可能となる。
【００７５】
また、本実施例の連接水系の運用計画作成支援システムでは、連接水系において関連する複数のダム及び発電所の運用計画を同時に確認しながら計画を作成することにより、簡単に適切な発電運用計画を手動計算にて作成できる。
【００７６】
表示装置に複数のダムの水位を表示することにより１つのダムの水位を表示する範囲が狭くなり水位カーブの識別が難しくなることが考えられるが、本実施例の連接水系の運用計画作成支援システムでは、水位カーブの拡大表示機能、各種水位カーブの色替え表示、チェックボックスによる水位カーブの一括表示・非表示設定の機能を運用計画作成支援システムに備えたことによって、運用者が水位カーブを簡単に把握できるようになっている。
【００７７】
以上のことから明らかなように、本実施例によれば連接水系の関連する複数のダムおよび発電所の運用計画を同時に確認しながら夫々のダムおよび発電所の適切な運用計画を手動計算にて容易に作成することを可能にして運用者の負荷を低減し得る連接水系の運用計画作成支援システムを実現することができる。
【産業上の利用可能性】
【００７８】
本発明は連接水系の運用計画作成支援システムに適用可能である。
【図面の簡単な説明】
【００７９】
【図１】本発明の一実施例である連接水系の運用計画作成支援システムを示す概略構成図。
【図２】図１の実施例における第１表示装置で表示する表示画面の一例。
【図３】図１の実施例における第２表示装置で表示する表示画面の一例。
【図４】図１の実施例である連接水系の運用計画作成支援システムにおける計画作成フローチャート。
【図５】本発明の対象となる連接水系Ｚの水系図の一例を示す模式図。
【図６】図５に示した連接水系Ｚの発電計画及び連接水系に属するダムの仮計画における水位カーブと水位上限、水位下限を示す説明図。
【図７】図１の実施例である連接水系の運用計画作成支援システムの詳細構成を示す制御ブロック図。
【符号の説明】
【００８０】
１：計画・仮計画選択コンボボックス、２：仮計画取消ボタン、３：仮計画登録ボタン、４：発電出力ＯＲ放流量入力欄、５：水位グラフ、６：水位グラフ拡大ボタン、７：水位表示・非表示チェックボックス、１０：第１表示装置、２０：第２表示装置、３０：計算機、３１：仮計画データベース、３２：計画データベース、３３：実績データベース、３４：設備データベース。
【図１】
2008118810.tif 000003
【図２】
2008118810.tif 000004
【図３】
2008118810.tif 000005
【図４】
2008118810.tif 000006
【図５】
2008118810.tif 000007
【図６】
2008118810.tif 000008
【図７】
2008118810.tif 000009